(57)【要約】      （修正有）【課題】電子リレーを設定するためのコンピュータ実装方法を提供する。【解決手段】電子リレー２は、第1および第2の電気回路１００、２００によって提供される電気量に関するデータを結合ノードPoCで取得し、そのデータを処理し、電気回路１００、２００が安全で安定した互換性のある領域内で動作するかどうかをチェックすることからなる同期再閉機能を提供することができる。実行された同期再閉タスクが、電気回路１００、２００が上記互換性領域内で動作することを確認した場合にのみ、電子リレー２は、スイッチング装置S1が上記電気回路を再接続することを可能にする。【選択図】図１
2019009979.tif 000002
【特許請求の範囲】
【請求項１】
電力分配ネットワークの電子リレー（２）を設定するための方法（CFP）であって、
前記電子リレーは、結合ノード(PoC)において、第1の活電回路(１００)と第２の活電回路(２００)とを電気的に接続または切断するように適合されたスイッチング装置(S1)に動作可能に関連付けられて動作するものであり、
前記電子リレーは、前記第１および第２の活電回路(１００、２００)間の切断に続いて、前記第１および第２の活電回路(１００、２００)間の再接続を可能にする同期再閉機能を提供することができるものであり、
以下のステップ：
−ユーザによって起動可能なグラフィックリソース(11, 12, 13, 14)を含むグラフィックユーザインタフェース(５００)を、コンピュータディスプレイ(５２)上に提供するステップと、
−前記第１および第２の活電回路（１００、２００）の少なくとも１つの動作に関連する第１の動作パラメータを設定するための第１の設定値（CF1）を提供する際にユーザを支援するために、前記グラフィックユーザインタフェース上に、第１のグラフィックリソース(１１)を提供し、前記第１の動作パラメータは、前記同期再閉機能を提供するために前記電子リレーによって処理されるステップと、
−前記第１および第２の活電回路（１００、２００）に要求される第１の動作条件に関連する第２の動作パラメータを設定するための第２の設定値（CF2）を提供する際にユーザを支援するために、前記グラフィックユーザインタフェース上に、第２のグラフィックリソース(１２)を提供して、前記第１および第２の活電回路間の切断に続いて、前記第１および第２の活電回路間の再接続を可能にし、前記第２の動作パラメータは、前記同期再閉機能を提供するために前記電子リレーによって処理されるステップと、
−前記電子リレーが動作するための最小動作要件を満たしているかどうかをチェックするステップと、
−前記電子リレーが前記最小動作要件を満たす場合、少なくとも前記第１および第２の設定値（CF1、CF2）を含む設定情報を、前記電子リレーに送信するステップと、を含むことを特徴とする方法。
【請求項２】
前記第１および第２の活電回路（１００、２００）の少なくとも１つの１つ以上の電源（G1、...、GM）に要求される第２の動作条件に関連する第３の動作パラメータを設定するための第３の設定値（CF3）を提供する際にユーザを支援するために、前記グラフィックユーザインタフェース上に、第３のグラフィックリソース(１３)を提供して、前記第１および第２の活電回路（１００、２００）間の再接続を可能にし、前記第３の動作パラメータは、前記同期再閉機能を提供するために前記電子リレーによって処理されるステップを含むことを特徴とする請求項１に記載の方法。
【請求項３】
前記電子リレー(２)の一つ又は複数の入力および／または出力に関連する第４の動作パラメータを設定するための第４の設定値（CF4）を提供する際にユーザを支援するために、前記グラフィックユーザインタフェース上に、第４のグラフィックリソース(１４)を提供し、前記第４の設定値（CF4）は、前記電子リレーに送信された前記設定情報に含まれるステップを含むことを特徴とする先行する請求項のいずれかに記載の方法。
【請求項４】
前記第１のグラフィックリソース（１１）は、前記第１の動作パラメータをセットアップするための１つ以上の第１および第２のグラフィックオブジェクト（１１１、１１２）を含み、
前記第１のグラフィックオブジェクト（１１１）は、前記グラフィックユーザインターフェース上に、前記第２のグラフィックオブジェクト(１１２)をアップロードするために起動可能であり、
前記第２のグラフィックオブジェクト(１１２)は、前記第１の動作パラメータをセットアップするための前記第１の設定値（CF1）を提供する際にユーザを支援するように構成されることを特徴とする先行する請求項のいずれかに記載の方法。
【請求項５】
前記第２のグラフィックリソース（１２）は、前記第２の動作パラメータをセットアップするための１つ以上の第３および第４のグラフィックオブジェクト（１２１、１２２）を含み、
前記第３のグラフィックオブジェクト（１２１）は、前記グラフィックユーザインターフェース上に、前記第４のグラフィックオブジェクト(１２２)をアップロードするために起動可能であり、
前記第４のグラフィックオブジェクト(１２２)は、前記第２の動作パラメータをセットアップするための前記第２の設定値（CF2）を提供する際にユーザを支援するように構成されることを特徴とする先行する請求項のいずれかに記載の方法。
【請求項６】
前記第３のグラフィックリソース（１３）は、前記第３の動作パラメータをセットアップするための１つ以上の第５および第６のグラフィックオブジェクト（１３１、１３２）を含み、
前記第５のグラフィックオブジェクト（１３１）は、前記グラフィックユーザインターフェース上に、前記第６のグラフィックオブジェクト(１３２)をアップロードするために起動可能であり、
前記第６のグラフィックオブジェクト(１３２)は、前記第３の動作パラメータをセットアップするための前記第３の設定値（CF3）を提供する際にユーザを支援するように構成されることを特徴とする請求項２に記載の方法。
【請求項７】
前記第４のグラフィックリソース（１４）は、前記第４の動作パラメータをセットアップするための１つ以上の第７および第８のグラフィックオブジェクト（１４１、１４２）を含み、
前記第７のグラフィックオブジェクト（１４１）は、前記グラフィックユーザインターフェース上に、前記第８のグラフィックオブジェクト(１４２)をアップロードするために起動可能であり、
前記第８のグラフィックオブジェクト(１４２)は、前記第４の動作パラメータをセットアップするための前記第４の設定値（CF4）を提供する際にユーザを支援するように構成されることを特徴とする請求項３に記載の方法。
【請求項８】
前記グラフィックユーザインターフェース上に、第５のグラフィックリソース（１５）を提供して、ユーザによって入力された１つ以上の設定値（CF2）を、図表を用いて視覚化するステップを含むことを特徴とする、先行する請求項のいずれかに記載の方法。
【請求項９】
前記設定情報を前記電子リレーに送信する前記ステップは、以下のステップ：
−前記設定情報の前記電子リレーへの送信を可能にするためにコード化された情報を受信するステップと、
−前記コード化された情報をチェックするステップと、
−前記コード化された情報が正しい場合に、前記電子リレーに前記設定情報を送信するステップと、を含むことを特徴とする、先行する請求項のいずれかに記載の方法。
【請求項１０】
前記設定情報が、インターネットまたはLANまたはWANの通信回線を介して、前記電子リレーに送信されることを特徴とする、先行する請求項のいずれかに記載の方法。
【請求項１１】
前記第１の活電回路（１００）が、１つ以上の電気負荷（L1、...、LN）と１つ以上の電源（G1、...、GM）を含むマイクログリッドであることを特徴とする、先行する請求項のいずれかに記載の方法。
【請求項１２】
前記第２の活電回路（２００）が、公共送電網であることを特徴とする、先行する請求項のいずれかに記載の方法。
【請求項１３】
記憶媒体に記憶されたまたは格納可能なコンピュータプログラムであって、コンピュータ化された装置（５０）によって実行されたとき、先行する請求項のいずれかに記載の電子リレー（２）を設定する方法（CFP）を実施するように設定されたソフトウェア命令を含むことを特徴とするコンピュータプログラム。
【請求項１４】
請求項１から１２のいずれかに記載の電子リレー（２）を設定する方法（CFP）を実施するためのソフトウェア命令を実行するように構成されたことを特徴とするコンピュータ化された装置（５０）。
【請求項１５】
請求項１から１２のいずれかに記載の電子リレー（２）を設定する方法（CFP）によって設定された電子リレー（２）。
【請求項１６】
請求項１５に記載の電子リレー（２）を備えるスイッチング装置（S1）。
【発明の詳細な説明】
【技術分野】
【０００１】
この発明は、低電圧レベルまたは中電圧レベルで動作する送電網（electric power distribution grids）の分野に関する。
【０００２】
より詳細には、第１の活電回路（live electric circuit）と、対応する第２の活電回路との間の先行する切断に続いて、第１の活電回路（例えば、マイクログリッド）を、対応する第２の活電回路（例えば、公共送電網（utility power grid））と再接続することを可能にするように、同期再閉機能を提供することができる電子リレーを設定するためのコンピュータ実装方法に関する。
【０００３】
送電網は、１つの送電網の特定の部分を適切に動作させるように設計されたスイッチング装置（例えば、回路遮断器、断路器、接触器など）を備える。
【０００４】
多くの場合、スイッチング装置は、１つの送電網のいくつかの部分に対して保護機能を提供するように、前記スイッチング装置を制御するように適合された電子保護および制御装置（ここでは「電子リレー」と呼ばれる）に動作可能に関連付けられる。
【０００５】
特に、同期再閉機能を提供することができる電子リレーは、技術水準においては有名である。
【０００６】
知られているように、このタイプの電子リレーは、与えられた結合ノードにおいて、活電回路を互いに電気的に接続または切断することができるスイッチング装置に動作可能に関連付けられており、また、このタイプの電子リレーは、スイッチング装置による切断に続き、上記活電回路の動作状態が、再接続に対して互換性があるか否か（「同期再閉機能」）をチェックするように適合されている。
【０００７】
上記活電回路が切断されるときに、結合ノードにおいて、上記活電回路によって提供される適切な電気量を、適切にチェックすることによって、上記同期再閉機能を提供することができる電子リレーは、スイッチング装置が再接続される前に、活電回路が安全で安定した互換領域内で動作することを保証する。
【０００８】
このようにして、再接続時に、上記電気回路内で起こり得る危険な故障事象が、効率的に防止される。
【０００９】
同期再閉機能を提供することができるリレーの例は、ABB（登録商標）Ltd.による商品名SPAU140C（商標）で商品化されているリレーと、SIEMENS（登録商標）AGによる商品名SIPROTEC7VK61（商標）で商品化されているリレーである。
【００１０】
他の電子リレーに関しては、上記したタイプの電子リレーは、その機能、特に上記した同期再閉機能を実行するために、一連の動作パラメータ（以下、「動作パラメータ」と呼ぶ）を処理する必要がある。
【００１１】
そのような動作パラメータは、リレーの動作寿命の間に、たとえば、この動作パラメータが、現場でインストールされたとき、またはメンテナンス介入中に、適切にセットアップ（または広く使用される用語に従えば、「設定」"configured"）される必要がある。
【００１２】
このタイプの電子リレーの動作パラメータを設定するための従来の解決策は、通常、リレーの入力および出力を取得するための時間のかかるケーブル配線活動と、その機能をモデル化およびセットアップするための集中的なプログラミング活動を必要とする。
【００１３】
これらすべての活動は、通常、専門的な人員の介入を必要とし、全体的なコストの著しい増加を伴う。
【発明の概要】
【課題を解決するための手段】
【００１４】
本発明の主な目標（aim）は、上述した技術的問題を解決または緩和することができるように、同期再閉機能を提供することができる電子リレーの動作パラメータをセットアップする方法を提供することである。
【００１５】
この目標（aim）の範囲内で、本発明の目的は、電子リレーの迅速かつ効率的な設定を実行する方法を提供することである。
【００１６】
本発明の他の目的は、専門でないオペレータによっても容易に実行できる方法を提供することである。
【００１７】
本発明の更なる目的は、高価な処理リソースを採用することなく、容易にコンピュータに実装することができる方法を提供することである。
【００１８】
これらの目標（aim）および目的は、以下の請求項１と関連する従属請求項に従って、電子リレーの動作パラメータをセットアップする方法によって達成される。
【００１９】
本発明による方法は、与えられた結合ノードにおいて、上記第１および第２の活電回路を電気的に接続または切断するように設計されたスイッチング装置に動作可能に関連付けられるように適合された電子リレーの設定に関する。
【００２０】
好ましくは、前記第１の活電回路は、１つ以上の電気負荷と、１つ以上の電源とを含むマイクログリッドからなる。
【００２１】
好ましくは、前記第２の活電回路は、実用的な送電網（ここでは「公共送電網（utility power grid）」）からなる。
【００２２】
電子リレーは、関連するスイッチング装置を制御することができ、特に、このスイッチング装置よる活電回路の切断または再接続操作を可能にする。
【００２３】
本発明によれば、前記電子リレーは、前記第１および第２の活電回路間の切断に続き、前記第１および第２の活電回路間の再接続を可能にする同期再閉機能を提供するように適合される。
【００２４】
一般的定義において、本発明による方法は、以下のステップを含む。
−ユーザによって起動可能なグラフィックリソースを含むグラフィックユーザインタフェースをコンピュータディスプレイ上に提供するステップと；
−前記第１および第２の活電回路の少なくとも１つの動作に関連する第１の動作パラメータを設定するための第１の設定値を提供する際にユーザを支援するために、前記グラフィックユーザインタフェース上に第１のグラフィックリソースを提供し、第１の動作パラメータは、前記同期再閉機能を提供するために、前記電子リレーによって処理されるステップと；
−前記第１および第２の活電回路に要求される第１の動作条件に関連する第２の動作パラメータを設定するための第２の設定値を提供する際にユーザを支援するために、前記グラフィックユーザインタフェース上に第２のグラフィックリソースを提供して、前記第１および第２の活電回路間の先行する切断に続いて、前記第１および第２の活電回路間の再接続を可能にし、前記第２の動作パラメータは、前記同期再閉機能を提供するために、前記電子リレーによって処理されるステップと；
−前記電子リレーが、動作するための最小動作要件を満たしているかどうかをチェックするステップと；
−前記電子リレーが前記最小動作要件を満たす場合、少なくとも前記第１および第２の設定値を含む設定情報を前記電子リレーに送信するステップ。
【００２５】
好ましくは、前記第１のグラフィックリソースは、前記第１の動作パラメータをセットアップするための１つ以上の第１および第２のグラフィックオブジェクトを含む。前記第１のグラフィックオブジェクトは、前記グラフィックユーザインターフェース上に前記第２のグラフィックオブジェクトをアップロードするために起動可能である。前記第２のグラフィックオブジェクトは、前記第１の動作パラメータをセットアップするための前記第１の設定値を提供する際に、ユーザを支援するように構成される。
【００２６】
好ましくは、前記第２のグラフィックリソースは、前記第２の動作パラメータをセットアップするための１つ以上の第３および第４のグラフィックオブジェクトを含む。前記第３のグラフィックオブジェクトは、前記グラフィックユーザインターフェース上に前記第４のグラフィックオブジェクトをアップロードするために起動可能である。前記第４のグラフィックオブジェクトは、前記第２の動作パラメータをセットアップするための前記第２の設定値を提供する際に、ユーザを支援するように構成される。
【００２７】
本発明の一実施形態によれば、前記方法は、前記第１および第２の活電回路のうち少なくとも１つの、１つ以上の電源に要求される第２の動作条件に関連する第３の動作パラメータを設定するための第３の設定値を提供する際に、ユーザを支援するために、前記グラフィックユーザインターフェース上に第３のグラフィックリソースを提供して、前記第１および第２の活電回路間の再接続を可能にするステップを備える。
【００２８】
好ましくは、前記第３の設定値は、前記電子リレーに送信される設定情報に含まれる。
【００２９】
好ましくは、前記第３のグラフィックリソースは、前記第３の動作パラメータをセットアップするための１つ以上の第５および第６のグラフィックオブジェクトを含む。前記第５のグラフィックオブジェクトは、前記第６のグラフィックオブジェクトを、前記グラフィックユーザインタフェース上にアップロードするために起動可能である。前記第６のグラフィックオブジェクトは、前記第３の動作パラメータをセットアップするための前記第３の設定値を提供する際に、ユーザを支援するように構成される。
【００３０】
本発明の一実施形態によれば、前記方法は、前記電子リレーの一つ又は複数の入力および／または出力に関する第４の動作パラメータを設定するための第４の設定値を提供する際に、ユーザを支援するために、前記グラフィックユーザインターフェース上に第４のグラフィックリソースを提供するステップを含む。
【００３１】
好ましくは、前記第４の設定値は、前記電子リレーに送信される設定情報に含まれる。
【００３２】
好ましくは、前記第４のグラフィックリソースは、前記第４の動作パラメータをセットアップするための１つ以上の第７および第８のグラフィックオブジェクトを含む。前記第７のグラフィックオブジェクトは、前記グラフィックユーザインターフェース上に前記第８のグラフィックオブジェクトをアップロードするように、コンピュータ化された装置５０に命令するために、起動可能である。前記第８のグラフィックオブジェクトは、前記第４の動作パラメータをセットアップするための前記第４の設定値を提供する際に、ユーザを支援するように構成される。
【００３３】
本発明の一実施形態によれば、前記方法は、前記グラフィックユーザインターフェース上に、第５のグラフィックリソースを提供して、ユーザによって入力された１つ以上の設定値を、図表を用いて視覚化するステップを含む。
【００３４】
一実施形態によれば、前記設定情報を前記電子リレーに送信する前記ステップは、以下のステップを含む：
−前記設定情報の前記電子リレーへの送信を可能にするために、コード化された情報を受信するステップと、
−前記コード化された情報をチェックするステップと、
−前記コード化された情報が正しい場合に、前記電子リレーに前記設定情報を送信するステップ。
【００３５】
好ましくは、前記設定情報は、インターネットまたはLANまたはWANの通信回線を介して、前記電子リレーに送信される。
【００３６】
いくつかのさらなる態様において、本発明は、以下の請求項１３に記載のコンピュータプログラム、および請求項１４に記載のコンピュータ化された装置に関する。
【００３７】
さらに別の態様では、本発明は、以下の請求項１５に記載の電子リレー、および請求項１６に記載のスイッチング装置に関する。
【図面の簡単な説明】
【００３８】
本発明の更なる特徴及び利点は、添付の図面に非限定的な実施例が示されており、排他的ではない好ましい実施例の説明から、より明らかになるであろう。
図１〜図３は、本発明において、第１および第２の活電回路と、前記活電回路を電気的に接続または切り離すためのスイッチング装置と、前記スイッチング装置に動作可能に関連する同期再閉機能を提供することができる電子リレーと、前記電子リレーを設定するための方法を実装するコンピュータ化された装置を示す概略図である。
図４は、実施形態における図１〜図３のスイッチング装置を概略的に示す。
図５〜図９は、本発明による方法のステップを示す概略図である。すなわち、
【図１】図1は、第１および第２の活電回路と、前記活電回路を電気的に接続または切り離すためのスイッチング装置と、前記スイッチング装置に動作可能に関連する同期再閉機能を提供することができる電子リレーと、前記電子リレーを設定するための方法を実装するコンピュータ化された装置を示す概略図である。
【図２】図２は、第１および第２の活電回路と、前記活電回路を電気的に接続または切り離すためのスイッチング装置と、前記スイッチング装置に動作可能に関連する同期再閉機能を提供することができる電子リレーと、前記電子リレーを設定するための方法を実装するコンピュータ化された装置を示す概略図である。
【図３】図３は、第１および第２の活電回路と、前記活電回路を電気的に接続または切り離すためのスイッチング装置と、前記スイッチング装置に動作可能に関連する同期再閉機能を提供することができる電子リレーと、前記電子リレーを設定するための方法を実装するコンピュータ化された装置を示す概略図である。
【図４】図４は、実施形態における図１〜図３のスイッチング装置を概略的に示す図である。
【図５】図５は、本発明による方法のステップを示す概略図である。
【図６】図６は、本発明による方法のステップを示す概略図である。
【図７】図７は、本発明による方法のステップを示す概略図である。
【図８】図８は、本発明による方法のステップを示す概略図である。
【図９】図９は、本発明による方法のステップを示す概略図である。
【発明を実施するための形態】
【００３９】
上述の図を参照すれば、本発明は、低電圧レベルまたは中電圧レベルで動作する送電網内の電子リレー２を設定するための方法CFPに関係する。
【００４０】
この出願の目的のために、「低電圧」（LV）という用語は、１kV  ACおよび１．５kV  DCより低い動作電圧に関係し、「中電圧」という用語は、数十kVまでの動作電圧、たとえば、最大７２kV  ACおよび１００kV  DCに関する。
【００４１】
電子リレー２は、対応するスイッチング装置S1（例えば、回路遮断器、断路器、接触器など）と動作可能に関連付けられるように意図されている。
【００４２】
スイッチング装置S1は、結合ノード  PoC（Point of Coupling）において、第１の活電回路１００と第２の活電回路２００とを電気的に接続または切断することができる。
【００４３】
電気回路１００、２００は、結合ノードPoCに電力を供給することができるので、「活電回路（live electric circuits）」として定義される。この目標のために、両方の電気回路１００、２００は、適切な電源を備える。
【００４４】
好ましくは、第１の電気回路１００は、マイクログリッドであり、これは公知のタイプのものでよい。
【００４５】
知られているように、電力分配ネットワークの分野では、「マイクログリッド」は、限定されたゾーンに配置されて閉じ込められた電力分配システムとして一般的に意図されている。
【００４６】
種々の電気負荷L1、...、LNに加えて、マイクログリッド１００は、多数の電源G1、...、GMを備える。
【００４７】
電気負荷L1、...、LNは、任意のタイプのものでよく、必要に応じて配置されてもよい。一般に、電気負荷L1、...、LNは、動作中の電力量を消費するように構成された任意の装置でよい。
【００４８】
また、電源G1、...、GMは、任意のタイプのものでよく、必要に応じて配置されてもよい。
【００４９】
一例として、それらは、発電機、ソーラーパネルプラント、風力タービンプラント、結合された熱および電力システム、海洋エネルギー生成システム、太陽光発電、ディーゼル発電、地熱またはバイオマスエネルギー生成システム、燃料電池、コンデンサバンク、電池などを備えてもよい。
【００５０】
好ましくは、第２の電気回路は、公共送電網（utility power grid）であり、既知のタイプでもよい。
【００５１】
通常、電気回路１００は、電気回路２００に、電気的に接続されている。
【００５２】
しかしながら、システム要求、異常状態（例えば、メイングリッドにおける障害または停電）またはユーザの判断に応答して、電気回路１００は、スイッチング装置S1によって、電気回路２００から電気的に切り離されてもよい。
【００５３】
この場合、結合ノードPoCの端子T1、T2における活電回路１００、２００の電気量は、切断された電気回路の動作によって著しく変化する可能性がある。
【００５４】
一例として、第２の電気回路２００が公共送電網であり、第１の電気回路１００がいわゆる「孤立モード（islanded mode）」で動作する（即ち、公共送電網２００から切り離された）マイクログリッドである場合、結合ノードPoCの端子T1における第１の電気回路１００の動作周波数、位相および電圧は、結合ノードPoCの端子T2における第２の電気回路２００の動作周波数、位相および電圧に関して、関連する過渡または変動を受ける可能性がある（この場合、第２の電気回路２００によって供給される電気量は、後者（第２の電気回路２００）が公共送電網であるので、実質的に安定している）。
【００５５】
電子リレー２は、第1および第2の電気回路１００、２００によって提供される電気量に関するデータを結合ノードPoCで取得し、そのデータを処理し、電気回路１００、２００が安全で安定した互換性のある領域内で動作するかどうかをチェックすることからなる同期再閉機能を提供することができる。
【００５６】
実行された同期再閉タスクが、電気回路１００、２００が上記互換性領域内で動作することを確認した場合にのみ、電子リレー２は、スイッチング装置S1が上記電気回路を再接続することを可能にする。
【００５７】
上述した同期再閉機能は、既知のタイプのものであってもよく、ここでは簡潔さのためにここでは説明しない。一例として、電子リレー２によって提供される同期再閉機能は、市場において商業的に利用可能な上述のリレーによって提供されるものと同様であってもよい。
【００５８】
一般に、電子リレー２は、そこに動作可能に接続された1つ以上のデバイス（例えば、センサまたは他のリレー）からの入力信号（例えば、データ信号または制御信号）を受信することができる一つ以上の入力と、そこに動作可能に接続された1つ以上のデバイス（例えば、スイッチング装置２０）のための出力信号（例えば、データ信号または制御信号）を提供することができる一つ以上の出力とを含む。
【００５９】
図１を参照すると、電子リレー２は、好ましくは、前記電子リレーの動作を管理するように構成された制御ユニット２１を備える。
【００６０】
制御ユニット２１には、記憶媒体（例えば、前記制御ユニットのメモリ）に記憶または格納可能なソフトウェア命令を実行することができる処理リソース（例えば、１つまたは複数のマイクロプロセッサを含む）が、都合よく設けられる。
【００６１】
電子リレー２は、様々なタイプの通信バス２５、２６、２７を備えていてもよいし、または、通信バスに動作可能に結合されていてもよい。
【００６２】
一例として、電子リレー２は、制御ユニット２１と電子保護リレー２の他の付属装置1,22,23,24との間に通信チャネルを提供するように、都合よく設計されたローカルバス２５を備えてもよい。ローカルバス２５は、イーサネット（登録商標）のようなフィールドバス（FIELDBUS）タイプの通信プロトコルを、「マルチマスター」タイプの通信様式とともに、実装することができる。
【００６３】
さらなる例として、電子リレー２は、送電網２５０のシステムバス２７を介して、さらにいくつかの電子保護装置2Aと通信するように準備することができる。システムバス２７は、制御ユニット２１と、リレー２に関して遠隔位置にあってもよいさらなる電子装置2A(例えば、さらなる電子リレー)との間の通信チャネルを提供するように好都合に設計されてもよい。システムバス27は、「マスタ−スレーブ」タイプの通信様式を使用して、MODBUS、PROFIBUS、PROFINET、またはMODBUS TCPタイプの通信プロトコルを実装することができる。
【００６４】
さらなる例として、電子リレー２は、リレー自体を含む開閉装置（switchgear）のスイッチボードバス２６を介して、他の電子装置2Bと通信するように準備されてもよい。スイッチボードバス２６は、保護および制御ユニット２１と、前記開閉装置のさらなる電子装置2B（例えば、さらなる電子リレー）との間の専用の通信チャネルを提供するように好都合に設計される。スイッチボードバス２６は、「マルチマスター」タイプの通信様式を使用して、フィールドバス（FIELDBUS）タイプの通信プロトコルを、実装することができる。
【００６５】
電子リレー２は、（付属装置２３として）制御ユニット２１の機能を強化／拡張するように設計された様々な付属装置を備えるか、またはこれらの付属装置と動作可能に結合され、保護制御ユニット21のために、外部通信バスへのインタフェース（付属装置22,24のように）、または遠隔通信インタフェース（付属装置１のように）などを備えてもよい。
【００６６】
好ましくは、付属装置1,22,23,24は、図４に示すように、スイッチング装置２０上の対応する電子保護リレー２と一緒に取り外し可能に取り付けるように適合されている。
【００６７】
しかしながら、他の解決策によれば、付属装置1、22、23、24は、電子保護リレー２が自立ユニットである場合、電子保護リレー２の外部ケースに取り外し可能に取り付けられてもよく、または、対応する電子リレー２内に一体化された内部電子モジュールを形成してもよい。
【００６８】
本発明のいくつかの実施形態によれば、電子リレー２は、制御ユニット２１と相互作用して上述した同期再閉機能を提供するように適合された専用の付属装置２３を備えるか、またはこの付属装置２３と動作可能に結合される。この場合、付属装置２３と制御ユニット２１の両方には、上述した同期再閉機能を提供するように構成されたソフトウェア命令を実行することができる相互作用処理リソースが都合よく設けられる。
【００６９】
これに代えて、制御ユニット２１は、上述した同期再閉機能を提供するように構成されたソフトウエア命令を実行することができる自律的処理リソースを備えてもよい。
【００７０】
好都合には、電子リレー２は、インターネットまたはLANまたはWANの通信回線を介して１つまたは複数の遠隔のコンピュータ化された装置と通信するための遠隔通信機能を有する。
【００７１】
この目標のために、好ましくは、電子リレー2は、付属装置1に動作可能に結合されるか、または付属装置１を備える。
【００７２】
図３を参照すると、付属装置１は、対応する電子リレー２に含まれるか、または対応する電子リレー２に動作可能に接続された電子装置（例えば、制御装置２１）との通信に適した少なくとも第１の通信ポート1Aを備えることが好ましい。
【００７３】
一例として、通信ポート1Aは、対応する電子リレー２のローカルバス２５と動作可能に結合されるのに適したイーサネットポートであってもよい。
【００７４】
好ましくは、付属装置１は、インターネットまたはLANまたはWAN通信回線を介して、１つまたは複数の遠隔のコンピュータ化された装置５０と通信するのに適した少なくとも第２の通信ポート1Bを備える。
【００７５】
一例として、通信ポート1Bは、インターネットプロトコル一式に適したTCPまたはUDPポートであってもよい。
【００７６】
情報は、適切な通信ケーブル（例えば、イーサネットタイプのもの）または適切なアンテナ配列（例えば、Wi-FiまたはBluetooth（登録商標）タイプのもの）を用いて、インターネットまたはLANまたはWANの通信回線を介して送信されてもよい。
【００７７】
好ましくは、付属装置１は、前記付属装置の動作を管理するように構成された対応する処理ユニット1Cを備える。処理ユニット1Cには、記憶媒体（例えば、前記制御ユニットのメモリ）に記憶または格納可能なソフトウェア命令を実行することができる処理リソース（例えば、1つまたは複数のマイクロプロセッサを含む）が都合よく備えられている。
【００７８】
付属装置１は、専用の通信バス（例えば、システムバス27など）を使用または配置する必要なしに、対応する電子リレー２に、インターネットまたはLANまたはWANの通信回線への直接接続を提供することができることに留意することが重要である。
【００７９】
言い換えれば、付属装置１は、電子リレー２(特に、保護および制御ユニット２１)が遠隔のコンピュータ化された装置(例えば、コンピュータ化された装置５０)と直接通信することができるインターネットまたはLANまたはWANのゲートウェイとして動作するように、適合されている。
【００８０】
電子リレー２に遠隔通信機能を提供する他の解決策が、可能である。
【００８１】
一例として、電子装置２は、インターネットまたはLANまたはWANの通信回線を介して１つまたは複数の遠隔のコンピュータ化された装置と通信するための従来タイプの１つまたは複数の通信ポート（例えば、インターネットプロトコル一式に適したTCPまたはUDPポート）を備えてもよい。
【００８２】
しかし、この場合にも、情報は、適切な通信ケーブル（例えば、イーサネットタイプのもの）、または適切なアンテナ配置（例えば、Wi-FiまたはBluetoothタイプのもの）を介して送信されてもよい。
【００８３】
上述したように、本発明による方法CFPは、電子リレー２を構成する方法である。
【００８４】
本発明の枠組みでは、電子リレー2を「構成する」ことは、一般に、その電子リレーによって処理される適切な動作パラメータを設定（setting-up）して、その機能、特に前述の同期再閉機能を実行することからなる。
【００８５】
一般に、前記動作パラメータは、電子リレー自体に記憶され、かつ処理され得る適切な数値または論理値（設定値）を、電子リレー２に提供することによってセットアップされ得る。
【００８６】
明白に以下から明らかになるように、本発明による方法CFPは、コンピュータ化された装置５０によって実装されるのに特に適しており、明瞭さのために、以下に、この種の実施例を具体的に参照しながら説明する。
【００８７】
一般に、コンピュータ化された装置５０は、デスクトップコンピュータ、ラップトップコンピュータ、タブレット、スマートフォンなどのような任意の既知のタイプのものであってもよい。
【００８８】
図１を参照すると、コンピュータ化された装置５０は、前記コンピュータ化された装置の動作を管理するように構成された（例えば、1つ以上のマイクロプロセッサを含む）処理リソース５１を備える。前記処理リソースは、本発明による設定方法CFPを実施するために、記憶媒体（例えば、前記コンピュータ化された装置のメモリ）に記憶または記憶可能なソフトウェア命令を実行することができる。
【００８９】
コンピュータ化された装置５０は、処理リソース５１によって駆動されるディスプレイ５２を備えるか、またはそれに動作可能に関連付けられる。
【００９０】
好都合には、コンピュータ化された装置５０は、インターネットまたはLANまたはWANの通信能力を有する。
【００９１】
この目標のためには、好ましくは、インターネットまたはLANまたはWANを介して遠隔の電子装置と通信するための１つまたは複数の通信ポート５４（例えば、イーサネットまたはBluetoothまたはWi-Fiのポート）を備える。一例として、通信ポート５４は、インターネットプロトコル一式に適したTCPまたはUDPポートであってもよい。
【００９２】
情報は、（例えば、イーサネットタイプの）適切な通信ケーブルまたは（例えば、Wi-FiまたはBluetoothタイプの）適切なアンテナ配置を介して、送信されてもよい。
【００９３】
したがって、コンピュータ化された装置５０は、インターネットまたはLANまたはWANの通信回線を介して、電子リレー２と、都合よく通信することができる。
【００９４】
次に、電子リレー２を設定するための、本発明による方法CFPについて詳細に説明する。
【００９５】
本発明によれば、方法CFPは、コンピュータ化された装置５０がコンピュータディスプレイ５２（図５）上にグラフィックユーザインタフェース５００を提供するステップを含む。
【００９６】
グラフィックユーザインターフェース（GUI）５００は、視覚グラフィックリソース11,12,13,14,15,16（例えば、グラフィックアイコン、グラフィックウィンドウ、グラフィックカーソル、視覚インジケータ、ビジュアルメニューなど）を含む視覚グラフィック環境であり、コンピュータ化された装置５０によって電子リレー２を設定する際に、ユーザを補助する。
【００９７】
一般に、グラフィックリソース11,12,13,14,15,16は、ユーザが、電子リレー２を設定するための特定のコマンドまたは設定情報を、コンピュータ化された装置５０に入力することを提供できるようにするために利用される。
【００９８】
好都合なことに、グラフィックリソース11,12,13,14,15,16は、例えば、マウス・ポインタを介してグラフィックリソースをクリックし(例えば、ディスプレイ５２がコンピュータ・モニタ又はラップトップ・ディスプレイであるとき)、又はディスプレイ５２の対応する対話型領域に接触して(例えば、ディスプレイ52がタッチスクリーン・ディスプレイであるとき)、コンピュータ化された装置に採用されている既知の起動モードに従ってユーザによって起動することができる。
【００９９】
設定情報は、コンピュータ化された装置に採用されている既知の入力モードに従って、例えば、タイプすることや、専用のグラフィックオブジェクト（グラフィックカーソル、グラフィックアイコンなど）を起動された状態にすることで、ユーザがコンピュータ化された装置５０に入力することによって提供される。
【０１００】
好ましくは、GUI５００は、グラフィックリソース11,12,13,14,15,16が利用可能になる１つ以上の設定ページからなる。各設定ページは、上述のグラフィックリソースが表示される１つ以上の設定セクションを含むことができる。
【０１０１】
好ましくは、GUI５００は、各設定ページ上の補助グラフィックリソース１６（例えば、グラフィックボタン）を備え、ユーザが、異なる設定ページをナビゲートすること、または、コンピュータ化された装置５０の記憶メモリ上に前記設定ページを保存すること、または、コンピュータ化された装置５０の記憶メモリから前記設定ページをアップロードすることを可能にする。
【０１０２】
本発明によれば、方法CFPは、GUI５００上に第１のグラフィックリソース１１を提供して、第１および第２の活電回路１００、２００のうちの少なくとも１つの動作に関連する第１の動作パラメータを設定するための第１の設定値CF1をユーザが提供するのを支援するステップを含む。
【０１０３】
好ましくは、第１の電気回路１００がマイクログリッドであり、第２の電気回路２００が公共送電網である場合、前記第１の動作パラメータは、好ましくは、第１の電気回路１００の動作に関する動作パラメータを含み、より詳細には、電気回路１００に含まれる電源G1,.,GMの動作に関する動作パラメータを含む。
【０１０４】
一例として、前記第１の動作パラメータは、並列に配置された発電機の数、前記発電機の公称電圧および公称電力値、前記マイクログリッドの物理的構造に関連する動作値などを含む。
【０１０５】
もちろん、本発明の他の実施形態（図示せず）では、前記第１の動作パラメータは、必要に応じて、電気回路１００または２００の動作に依存して異なるタイプの動作パラメータを含んでもよい。
【０１０６】
好都合なことに、第１の設定値CF1によって設定される第１の動作パラメータは、電子リレー２によって処理されて、上述した同期再閉機能を提供する。
【０１０７】
好ましくは、第１のグラフィックリソース１１は、第１の動作パラメータをセットアップするために、ユーザによって起動可能な第１および第２のグラフィックオブジェクト１１１、１１２を含む。
【０１０８】
好ましくは、第１のグラフィックオブジェクト１１１は、自動的にGUI５００上にアップロードされ、第２のグラフィックオブジェクト１１２をGUI５００上にアップロードすることを、コンピュータ化された装置５０に命令するために起動可能である。
【０１０９】
好ましくは、第２のグラフィックオブジェクト１１２は、第１のグラフィックオブジェクト１１１の起動に応答して、GUI５００上に自動的にアップロードされ、第１の動作パラメータをセットアップするために、第１の設定値CF1を提供する際にユーザを支援するように構成される。
【０１１０】
好都合には、第１および第２グラフィックオブジェクト１１１、１１２は、上述の第１の動作パラメータをセットアップするために、コンピュータ化された装置５０への入力の際に、第１の設定値CF1を提供するために使用され得るグラフィックボタン、グラフィックマスク、グラフィックカーソルおよび／またはグラフィックメニューを含む。
【０１１１】
図６の概略例では、第１のグラフィックオブジェクト１１１は、GUI５００上の対応するグラフィックメニューM1（第２のグラフィックオブジェクト１１２）をアップロードするためにクリックすることができるグラフィックアイコンを含む。上記の第１の動作パラメータを設定するための設定値CF1は、グラフィックメニューM1のタイピングセクションにタイプされてもよい。
【０１１２】
好都合には、グラフィックメニューM1は、ユーザが設定値CF1を入力できるように構成された追加のメニューセクションを起動するためにクリックすることができる１つ以上のグラフィックアイコンM11を備えてもよい。
【０１１３】
本発明によれば、方法CFPは、前記電気回路間の前回の切断に続いて前記電気回路間の再接続を可能にするように、第１および第２電気回路１００、２００に要求される第１動作条件に関連する第２の動作パラメータを設定するための第２の設定値CF2を提供する際に、ユーザを支援するために、GUI５００上に第２グラフィックリソース１２を提供するステップを含む。
【０１１４】
好都合なことに、前記第２の動作パラメータは、上述した同期再閉機能を提供するために、電子リレー２によって処理される。
【０１１５】
好ましくは、前記第２の動作パラメータは、前記第１および第２の電気回路間の再接続を可能にするために、（電気回路１００、２００が切断されている場合）前記結合ノードPoCの端子T1、T2における一つまたは複数の電気量間の許容最大差に関連する動作パラメータを含む。
【０１１６】
一例として、前記第２の動作パラメータは、前記第１および第２の電気回路間の再接続を可能にするために、結合ノードPoCの端子T1、T2における第１および第２の電気回路１００、２００の動作周波数、位相および電圧の間の許容最大差を示す値を含んでもよい。
【０１１７】
好都合には、前記第２の動作パラメータは、必要に応じて第１および第２の電気回路１００、２００の動作に関連する付加的な動作パラメータを含んでもよい。
【０１１８】
好ましくは、第２のグラフィックリソース１２は、第２の動作パラメータをセットアップするために、ユーザによって起動可能な第３および第４のグラフィックオブジェクト１２１、１２２を含む。
【０１１９】
好ましくは、第３のグラフィックオブジェクト１２１は、自動的にGUI５００にアップロードされ、第４のグラフィックオブジェクト１２２をGUI５００にアップロードすることをコンピュータ化された装置５０に命令するために起動可能である。
【０１２０】
好ましくは、第４のグラフィックオブジェクト１２２は、第３のグラフィックオブジェクト１２１の起動に応答して、GUI５００上に自動的にアップロードされ、第２の動作パラメータをセットアップするために、第２の設定値CF2を提供する際にユーザを支援するように構成される。
【０１２１】
好都合には、第３および第４のグラフィックオブジェクト１２１、１２２は、上述の第２の動作パラメータをセットアップするために、コンピュータ化された装置５０への入力の際に、第２の設定値CF2を提供するために使用され得るグラフィックボタン、グラフィックマスク、グラフィックカーソルおよび／またはグラフィックメニューを含む。
【０１２２】
図７の概略例では、第３のグラフィックオブジェクト１２１は、GUI５００上の対応するグラフィックメニューM2（第４のグラフィックオブジェクト１２２）をアップロードするためにクリックすることができるグラフィックアイコンを含む。上記の第２の動作パラメータを設定するための設定値CF2は、グラフィックメニューM2のタイピングセクションにタイプされてもよい。
【０１２３】
好都合には、グラフィックメニューM1は、ユーザが設定値CF2を入力できるように構成された追加のメニューセクションを起動するためにクリックすることができる１つ以上のグラフィックアイコンM21を含んでもよい。
【０１２４】
本発明の好ましい実施形態によれば、方法CFPは、電気回路１００、２００間の再接続を可能にするように、第１および第２の電気回路１００、２００の少なくとも一方の電源G1、...、GMに要求される第２動作条件に関連する第３の動作パラメータを設定するための第３の設定値CF3を提供する際に、ユーザを支援するために、GUI５００上に第３グラフィックリソース１３を提供するステップを含む。
【０１２５】
好ましくは、第１の電気回路１００がマイクログリッドであり、第２の電気回路２００が公共送電網である場合、前記第３の動作パラメータは、電気回路２００との再接続を可能にするために、電気回路１００の電源G1、...、GMに要求される（例えば電圧及び周波数に関する）最小安定間隔に関連する動作パラメータを含む。
【０１２６】
もちろん、本発明の他の実施形態（図示せず）では、前記第３動作パラメータは、必要に応じて、電気回路１００または２００の動作に依存して異なるタイプの動作パラメータを含んでもよい。
【０１２７】
好都合なことに、設定値CF3によって設定される第３の動作パラメータは、電子リレー２によって処理されて、上述した同期再閉機能を提供する。
【０１２８】
好ましくは、第３のグラフィックリソース１３は、第２の動作パラメータをセットアップするために、ユーザによって起動可能な第５および第６のグラフィックオブジェクト１３１、１３２を含む。
【０１２９】
好ましくは、第５のグラフィックオブジェクト１３１は、自動的にGUI５００上にアップロードされ、第６のグラフィックオブジェクト１３２をGUI５００上にアップロードすることを、コンピュータ化された装置５０に命令するために起動可能である。
【０１３０】
好ましくは、第６のグラフィックオブジェクト１３２は、第５のグラフィックオブジェクト１３１の起動に応答して、GUI５００上に自動的にアップロードされ、第３の動作パラメータをセットアップするために、第３の設定値CF3を提供する際にユーザを支援するように構成される。
【０１３１】
好都合には、第５および第６グラフィックオブジェクト１３１、１３２は、上述の第３動作パラメータをセットアップするために、コンピュータ化された装置５０への入力の際に、第３の設定値CF3を提供するために使用され得るグラフィックボタン、グラフィックマスク、グラフィックカーソルおよび／またはグラフィックメニューを含む。
【０１３２】
図８の概略例では、第５のグラフィックオブジェクト１３１は、GUI５００上の対応するグラフィックメニューM3（第６のグラフィックオブジェクト１３２）をアップロードするためにクリックすることができるグラフィックアイコンを含む。上記の第３の動作パラメータを設定するための設定値CF3は、グラフィックメニューM3のタイピングセクションにタイプされてもよい。
【０１３３】
好都合には、グラフィックメニューM3は、ユーザが第３の設定値CF3を入力できるように構成された追加のメニューセクションを起動するためにクリックすることができる１つ以上のグラフィックアイコンM31を含んでもよい。
【０１３４】
本発明の好ましい実施形態によれば、方法CFPは、電子リレー２の１つまたは複数の入力および／または出力を管理するために、第４の動作パラメータを設定するための第４の設定値CF4を提供する際に、ユーザを支援するために、GUI５００上に第４グラフィックリソース１４を提供するステップを含む。
【０１３５】
一例として、前記第４の動作パラメータは、例えば電源G1、...、GMを有する外部装置との電子リレー２の通信タスクを管理するためのセットアップ値を含んでもよい。
【０１３６】
好ましくは、第４のグラフィックリソース１４は、第３の動作パラメータをセットアップするために、ユーザによって起動可能な第７および第８のグラフィックオブジェクト１４１、１４２を含む。
【０１３７】
好ましくは、第７のグラフィックオブジェクト１４１は、自動的にGUI５００上にアップロードされ、第８のグラフィックオブジェクト１４２をGUI５００上にアップロードすることを、コンピュータ化された装置５０に命令するために起動可能である。
【０１３８】
好ましくは、第８のグラフィックオブジェクト１４２は、第７のグラフィックオブジェクト１４１の起動に応答して、GUI５００上に自動的にアップロードされ、第４の動作パラメータをセットアップするために、第４の設定値CF4を提供する際にユーザを支援するように構成される。
【０１３９】
好都合には、第７および第８グラフィックオブジェクト１４１、１４２は、上述の第４動作パラメータをセットアップするために、コンピュータ化された装置５０への入力の際に、第４の設定値CF4を提供するために使用され得るグラフィックボタン、グラフィックマスク、グラフィックカーソルおよび／またはグラフィックメニューを含む。
【０１４０】
図９の概略例では、第７のグラフィックオブジェクト１４１は、GUI５００上の対応するグラフィックメニューM4（第８のグラフィックオブジェクト１４２）をアップロードするためにクリックすることができるグラフィックアイコンを含む。上記の第４の動作パラメータを設定するための設定値CF4は、グラフィックメニューM4の適切な選択ウィンドウを通して選択されてもよい。
【０１４１】
本発明の好ましい実施形態によれば、方法CFPは、ユーザによるコンピュータ化されたユニット５０への入力において提供される一つまたは複数の設定値(好ましくは設定値CF2)を、図表を用いて視覚化するために、GUI５００上に第５のグラフィックリソース１５を提供するステップを含む。
【０１４２】
好ましくは、第５のグラフィックリソース１５は、GUI５００に自動的にアップロードされた第９のグラフィックオブジェクト１５１を含む。
【０１４３】
好都合には、第９のグラフィックオブジェクト１５１は、ユーザによる入力で提供された設定値の定量的グラフィック表現を提供するグラフィックマスクまたはグラフィックカーソルを含む。
【０１４４】
好ましくは、ユーザは、GUI５００を介して入力された設定値CF1、CF2、CF3、CF4を、適切な補助グラフィックリソース１６（例えば、保存ボタン「保存」）を起動することによって、コンピュータ化された装置５０の記憶メモリに保存することができる。
【０１４５】
方法のこの段階において、少なくとも第１および第２の設定値CF1、CF2、好ましくは設定値CF3、CF4をも含む設定情報を、コンピュータ化された装置５０によって電子リレーに送信することができる。
【０１４６】
しかしながら、本発明によれば、電子リレー２に前記設定情報を送信する前に、方法CFPは、コンピュータ化された装置５０が電子リレー２によって最小動作要件が満たされているかどうかをチェックするステップを含む。
【０１４７】
このステップは、電子リレー２への設定情報の正確な送信を保証し、その結果、一度リレーが正しく設定されれば、前記リレーの迅速な操作性を保証するので、非常に有利である。
【０１４８】
好ましくは、前記チェックステップは、電子リレー２との通信を確立して電子リレー２に問い合わせる際に、コンピュータ化された装置５０によって、少なくとも部分的に、自動的に実行される。
【０１４９】
上記のチェックステップがうまく完了していない場合、警告メッセージが、コンピュータ化された装置５０によって、GUI５００上に提供される。
【０１５０】
上記チェックステップが正常に完了した場合、設定情報は、チェックステップの終了時に有効にされた適切な補助グラフィックリソース１６（例えば、ダウンロードボタン「送信」）を起動することによって、電子リレー２に送信することができる。
【０１５１】
したがって、方法CFPは、コンピュータ化された装置５０が、上記の設定情報を電子リレー２に送信するステップを含む。
【０１５２】
前記設定情報を受信すると、電子リレー２は、その動作パラメータを適切に設定して動作を開始することができる。
【０１５３】
好ましくは、前記設定情報は、コンピュータ化された装置５０によって、インターネットまたはLANまたはWANの通信回線を介して、電子リレー２に送信される。
【０１５４】
好ましくは、前記設定情報の電子リレー２への送信は、認証手順の実行時に行われる。
【０１５５】
好ましくは、このような認証手順は、コンピュータ化された装置５０が、コード化された情報を受信して、電子リレー２への上記設定情報の送信を可能にするステップを含む。
【０１５６】
そのようなコード化された情報は、コンピュータ化された装置５０の入力ポート（図示せず）に動作可能に結合されたメモリサポート（例えば、USB記憶装置）から受信されてもよい。
【０１５７】
代替として、このようなコード化された情報は、インターネットまたはLANまたはWANを介して、コンピュータ化された装置５０と通信する遠隔のコンピュータ源から受信されてもよい。
【０１５８】
しかし、必要に応じて、他の解決策も可能である。
【０１５９】
好ましくは、そのような認証手順は、コンピュータ化された装置５０が、前記コード化された情報をチェックして、正しいかどうかを制御するステップを含む。
【０１６０】
好ましくは、そのような認証手順は、コンピュータ化された装置５０が、前記コード化された情報が正しい場合に、電子リレー２に前記設定情報を送信するステップを含む。
【０１６１】
本発明による方法CFPは、上述の目標および目的を完全に満足させることを可能にする。
【０１６２】
この方法は、ユーザが、電力分配ネットワークのモデリングに経験の少ない人材によっても実行可能な簡単なステップで、支援されたやり方で電子リレー２の設定処理を実行することができるようにする。
【０１６３】
したがって、電子リレー２は、エラーの可能性が限定された迅速かつ効率的な方法で、設定することができる。
【０１６４】
特に、この方法は、インターネットまたはLANまたはWANの通信回線を介して、電子リレー２と通信することができるコンピュータ化された装置による実装に適している。これは、設定プロセス中の配線活動の必要性を回避または低減することを可能にする。
【符号の説明】
【０１６５】
１  付属装置
２  電子リレー
１１  第１のグラフィックリソース
１２  第２のグラフィックリソース
１３  第３のグラフィックリソース
１４  第４のグラフィックリソース
１５  第５のグラフィックリソース
１６  補助グラフィックリソース
２１  制御ユニット
２２  付属装置
２３  付属装置
２４  付属装置
２５  通信バス（ローカルバス）
２６  通信バス（スイッチボードバス）
２７  通信バス（システムバス）
５０  コンピュータ化された装置
５１  処理リソース
５２  コンピュータディスプレイ
５４  通信ポート
１００  第１の電気回路（活電回路）
１１１  第１のグラフィックオブジェクト
１１２  第２のグラフィックオブジェクト
１２１  第３のグラフィックオブジェクト
１２２  第４のグラフィックオブジェクト
１３１  第５のグラフィックオブジェクト
１３２  第６のグラフィックオブジェクト
１４１  第７のグラフィックオブジェクト
１４２  第８のグラフィックオブジェクト
１５１  第９のグラフィックオブジェクト
２００  第２の電気回路（活電回路）
５００  グラフィックユーザインターフェース（GUI）
１Ａ  第１の通信ポート
１Ｂ  第２の通信ポート
１Ｃ  処理ユニット
２Ａ  電子保護装置
２Ｂ  電子装置
Ｓ１  スイッチング装置
【図１】
2019009979.tif 000003
【図２】
2019009979.tif 000004
【図３】
2019009979.tif 000005
【図４】
2019009979.tif 000006
【図５】
2019009979.tif 000007
【図６】
2019009979.tif 000008
【図７】
2019009979.tif 000009
【図８】
2019009979.tif 000010
【図９】
2019009979.tif 000011
【外国語明細書】
2019009979000001.pdf